(57)【特許請求の範囲】
【請求項１】
被加熱物が収容される収容室を有する加熱調理器本体と、前記収容室を閉じる扉本体及び該扉本体に突設された取っ手を有する扉と、前記取っ手を覆う取っ手カバーとを備えた加熱調理器において、前記取っ手カバーは前記取っ手の側面と向き合う側板部、及び該側板部の前記扉本体側縁から前記側面に向けて突設された係止片を有しており、前記扉は前記係止片が挿入される挿入孔を有していることを特徴とする加熱調理器。
【請求項２】
前記側板部の前記扉本体と反対側縁に前記側面に向けて突設された凸条を有し、前記取っ手は前記凸条が挿入される溝を有している請求項１記載の加熱調理器。
【請求項３】
前記取っ手カバーは透光性を有しており、前記取っ手は前記取っ手カバーによって覆われている部分に複数の凹凸を有している請求項１又は２記載の加熱調理器。
【請求項４】
前記凹凸は前記溝の深さ方向へ長い条をなしている請求項３記載の加熱調理器。
【発明の詳細な説明】
【０００１】
【発明の属する技術分野】
本発明は被加熱物を高周波で加熱する電子レンジ等の加熱調理器に関する。
【０００２】
【従来の技術】
図１０は従来の加熱調理器の扉の正面図、図１１は図１０のXI−XI線の拡大断面図、図１２は図１０のXII −XII 線の拡大断面図である。
加熱調理器は、被加熱物が収容される収容室を有する加熱調理器本体と、該加熱調理器本体の正面から前記収容室を閉じる矩形の扉本体１００及び該扉本体の長手方向一端部に上下に長くなるように突設された側面視が略弧状の取っ手１０１を有する扉１０２と、前記取っ手１０１の側面及び頂面を覆い、上下に長い取っ手カバー１０３とを備える。取っ手カバー１０３は前記取っ手１０１の頂面と向き合う頂板部１０４と、該頂板部１０４の上下両端から前記扉本体１００へ向けて突設され、先端部の一面に爪部１０５を有する一対の係止片１０６，１０６と、前記頂板部１０４の長手方向中途位置で前記取っ手１０１の側面と向き合う側板部１０７とを有している。また、前記扉本体１００には、その正面から穿設され、前記係止片１０６，１０６が挿入される２つの挿入孔１０８，１０８、及び該挿入孔１０８，１０８の内側で前記爪部１０５と係合する抜止孔１０９，１０９を有している。尚、図１０乃至図１２で示した取っ手カバー１０３には、前記頂板部１０４の上下端部と連なり、前記扉本体１００の中央部分を覆う蓋カバー１１０が一体に成形されており、該蓋カバー１１０の裏面に複数の係止片１１１が突設されており、該係止片１１１が挿入される挿入孔１１２が前記扉本体１００に穿設されている。
【０００３】
このように構成された加熱調理器は、取っ手カバー１０３を扉１０２の正面側、換言すれば取っ手１０１の頂面側に位置させた状態で前記係止片１０６，１０６を前記挿入孔１０８，１０８へ挿入することにより、該係止片１０６，１０６の爪部１０５が扉１０２の抜止孔１０９，１０９と係合し、取っ手カバー１０３の抜け出しが禁止される。
【０００４】
【発明が解決しようとする課題】
ところが、従来のように取っ手カバー１０３が取っ手１０１の頂面側から取付けられる構造にあっては、扉１０２における扉本体１００の正面に前記挿入孔１０８，１０８が開口されるため、濡れ雑巾等の清掃具で扉１０２の表面を清掃するとき、清掃具の水が扉１０２の表面から前記挿入孔１０８，１０８へ侵入し易く、しかも、侵入して乾燥した場合には外観上見苦しくなると言う問題があった。
【０００５】
また、取っ手カバー１０３は透光性を有する合成樹脂によって形成されているため、取っ手カバー１０３の上下の係止片１０６，１０６が扉１０２の正面側から透視され、この係止片１０６，１０６部分の肉厚が厚くなり、係止片１０６，１０６の周りで色の濃淡差が発生し、外観上見苦しくなると言う問題があった。
【０００６】
また、取っ手カバー１０３に設けられている係止片１０６，１０６は取っ手カバー１０３の上部及び下部の２箇所に設けられているに過ぎず、取っ手カバー１０３の側部には設けられていないため、取っ手カバー１０３に反りが発生した場合、非係止片部分が取っ手１０１に対して浮き上がると言う問題があった。
【０００７】
また、取っ手カバー１０３を透過して目視することが可能な扉本体１００にひけマーク、ウエルドライン等が発生している場合、このひけマーク、ウエルドライン等が見苦しく目立つと言う問題があった。
【０００８】
本発明は斯かる事情に鑑みてなされたものであり、主たる目的は取っ手カバーを取っ手の側面と向き合う位置から取付ける構造とすることにより、係止片周りの肉厚差による色の濃淡差を感じることがなく、さらに、係止片が挿入される挿入孔へ清掃時の水が侵入した場合においても、この挿入孔内の水による外観上の見苦しさを目立たなくすることができる加熱調理器を提供することにある。
【０００９】
また、他の目的は係止片を有する取っ手カバーに凸条を設け、この凸条が挿入される溝を取っ手に設けた構成とすることにより、取っ手カバーの反りによる浮上がりをなくすることができるとともに、清掃時の水の取っ手カバー内側への侵入をなくすることができる加熱調理器を提供することにある。
【００１０】
また、他の目的は透光性を有する取っ手カバーによって覆われている取っ手に凹凸を設けることにより、ひけマーク、ウエルドライン等を目立たなくすることができる加熱調理器を提供することにある。
【００１１】
さらに、他の目的は前記凹凸を前記溝の深さ方向へ長い条となすことにより、１個の割型によって前記溝及び凹凸を成形することができる加熱調理器を提供することにある。
【００１２】
【課題を解決するための手段】
本発明に係る加熱調理器は、被加熱物が収容される収容室を有する加熱調理器本体と、前記収容室を閉じる扉本体及び該扉本体に突設された取っ手を有する扉と、前記取っ手を覆う取っ手カバーとを備えた加熱調理器において、前記取っ手カバーは前記取っ手の側面と向き合う側板部、及び該側板部の前記扉本体側縁から前記側面に向けて突設された係止片を有しており、前記扉は前記係止片が挿入される挿入孔を有していることを特徴とする。
【００１３】
この発明にあっては、取っ手カバーを取っ手の側面と向き合う位置から取付ける構造であり、取っ手カバーを取付けるための係止片は取っ手の側面に向けて突設されているため、取っ手カバーが透光性を有する場合においても扉の正面側から係止片が目視されなくなる。従って、係止片周りの肉厚差による色の濃淡差を感じることがなくなり、外観上の見苦しさをなくすることができる。また、取っ手カバーの係止片が挿入される挿入孔は取っ手の側面に穿設されるため、清掃時の水が前記挿入孔へ侵入した場合においても、この挿入孔内の水による外観上の見苦しさを目立たなくすることができる。
【００１４】
また、本発明に係る加熱調理器は、前記側板部の前記扉本体と反対側縁に前記側面に向けて突設された凸条を有し、前記取っ手は前記凸条が挿入される溝を有していることを特徴とする。
【００１５】
この発明にあっては、取っ手カバーは係止片の他に凸条を有しており、該凸条が取っ手の溝に挿入されているため、取っ手カバーに反りが発生した場合においても、取っ手カバーが取っ手に対して浮き上がることをなくすることができる。また、前記凸条は取っ手の側面に向けて突設されているため、該凸条が清掃時の水の侵入抵抗となり、水の侵入をなくすることができる。
【００１６】
さらに、本発明に係る加熱調理器は、前記取っ手カバーは透光性を有しており、前記取っ手は前記取っ手カバーによって覆われている部分に複数の凹凸を有していることを特徴する。
【００１７】
この発明にあっては、取っ手カバーを透過して凹凸を目視することができるため、取っ手にひけマーク、ウエルドライン等が発生している場合においても、このマーク、ウエルドライン等を目立たなくすることができ、外観の見栄えの悪さを解消でき、さらに、デザイン性を向上できる。
【００１８】
また、本発明に係る加熱調理器は、前記凹凸は前記溝の深さ方向へ長い条をなしていることを特徴とする。
【００１９】
この発明にあっては、取っ手が有する凹凸は取っ手カバーの凸条が挿入される溝の深さ方向へ長い条となしてあるため、１個の割型によって溝及び凹凸を成形することができ、割型製作費用を低減することができ、この割型によって製造される取っ手、ひいては加熱調理器のコストを低減できる。
【００２０】
【発明の実施の形態】
以下本発明をその実施の形態を示す図面に基づいて詳述する。
図１は本発明に係る加熱調理器の斜視図、図２は加熱調理器の扉及び取っ手カバーの斜視図、図３は加熱調理器の扉の正面図、図４は図３のIV−IV線の拡大断面図、図５は図３のＶ−Ｖ線の拡大断面図、図６は扉の取っ手部分を拡大した正面図、図７は扉の拡大側面図、図８は図７のＡ部の拡大図である。
【００２１】
加熱調理器は被加熱物を高周波で加熱する電子レンジであり、被加熱物が収容される収容室を有する加熱調理器本体１と、該加熱調理器本体１の正面から前記収容室を閉じる矩形の扉本体２及び該扉本体２の長手方向一端部に上下に長くなるように突設された側面視が略弧状の取っ手３を有する扉４と、前記取っ手３の側面及び頂面を覆い、上下に長い取っ手カバー５と、前記扉本体２の前記取っ手３と向き合う位置を覆う扉カバー６とを備える。
【００２２】
扉本体２は合成樹脂製の枠からなる扉フレーム２１と、該扉フレーム２１の枠内に装着されたガラス等の透光板２２とを備える。また、この扉本体２の一方の短辺には、その側面に開口し、後記する第１の係止片が挿入される複数の第１の挿入孔７…が離間して穿設されている。尚、この第１の挿入孔７…は扉本体２に代えて前記取っ手３の側面に穿設されてもよい。
【００２３】
取っ手３は前記扉本体２の一方の短辺側正面に上下に長くなるように配置され、前記扉フレーム２１と一体に成形されている。この取っ手３は前記扉本体２と向き合う頂板部３１と、該頂板部３１の一側縁に連なる側板部３２とを備え、上下方向中間での断面が略Ｌ字形になっている。頂板部３１の一側縁側及び側板部３２には前記取っ手カバー５の肉厚寸法に対応する深さの凹所３３が設けられており、該凹所３３に前記取っ手カバー５が配置されている。
【００２４】
頂板部３１の非凹所部３１ａと前記凹所３３との間の段部３４には後記する凸条が挿入される溝３５と、後記する第２の係止片が挿入される複数の第２の挿入孔８…とが形成されている。また、頂板部３１の凹所３３には前記溝３５の深さ方向へ長い条をなしている複数の凹凸３６が設けられており、この凹凸３６及び溝３５が、溝３５の深さ方向への摺動が可能な１個の割型によって成形し得るようにしてある。
【００２５】
図９は取っ手カバーを示すもので、(a) は正面図、(b) は側面図、(c) は背面図である。
取っ手カバー５は、前記取っ手３の側板部３２（側面）と向き合う側板部５１と、該側板部５１の前記扉本体２と反対側縁に連なり、前記頂板部３１の凹所３３と向き合う側面視が略弧状の頂板部５２とを備え、上下方向中間での断面が略Ｌ字形になっている。さらに、取っ手カバー５は前記側板部５１の前記扉本体２側で、上下に離間した３つの位置から前記側板部３２に向けて突設され、前記第１の挿入孔７…に挿入される第１の係止片５３と、前記頂板部５２の前記側板部５１と反対側縁に前記溝３５に向けて突設され、該溝３５に挿入される凸条５４と、該凸条５４の縁で、上下位置から凸条５４と等しい方向へ突設され、前記第２の挿入孔８へ挿入される第２の係止片５５とを有している。
【００２６】
第１及び第２の係止片５３，５５は、貫通孔５３ａ，５５ａを有しており、また、前記第１及び第２の挿入孔７，８の内側には、前記係止片５３，５５が前記挿入孔７，８へ挿入されたとき前記貫通孔５３ａ，５５ａの縁と係合する係止爪７ａ，８ａが突設されている。
【００２７】
このように側板部５１、頂板部５２、係止片５３，５５及び凸条５４を有する取っ手カバー５は透明、半透明等の透光性を有する合成樹脂によって一体に成形されている。
【００２８】
扉カバー６は前記取っ手３の頂板部３１と前記扉本体２との間に該扉本体２と向き合うように配置されている。この扉カバー６の一側縁には、前記取っ手３における側板部３２内側に設けられた係止孔３７へ挿入される係止片６１が突設されており、また、他側縁には前記扉フレーム２１の内側縁に係止される鈎片６２が突設されている。
【００２９】
以上のように構成された加熱調理器は、取っ手カバー５が取っ手３の側板部３２（側面）と向き合う位置から側板部３２に向けて移動されることにより、該取っ手カバー５の第１の係止片５３が、扉フレーム２１の側面に穿設された第１の挿入孔７へ挿入されるとともに、取っ手カバー５の第２の係止片５５が、取っ手３の頂板部５２に設けられた第２の挿入孔８へ挿入され、さらに、取っ手カバー５の凸条５４が取っ手３の頂板部３１に凹設された溝３５へ挿入される。この挿入により、第１の挿入孔７の内側に設けられた係止爪７ａが第１の係止片５３の貫通孔５３ａと係合し、第２の挿入孔８の内側に設けられた係止爪８ａが第２の係止片５５の貫通孔５５ａと係合し、第１及び第２の係止片５３，５５の抜け出しが禁止され、取っ手３の凹所３３に取っ手カバー５を取付けることができる。
【００３０】
このように取っ手カバー５を取付けるための第１及び第２の係止片５３，５５は取っ手３の側板部３２に向けて突設されており、扉４の正面側から係止片５３，５５及び挿入孔７，８が目視されないため、係止片５３，５５周りの肉厚差による色の濃淡差を感じることがなくなり、外観上の見苦しさをなくすることができる。また、係止片５３，５５が挿入される挿入孔７，８は取っ手３の側面に穿設されているため、清掃時の水が前記挿入孔７，８へ侵入した場合においても、この挿入孔７，８内の水による外観上の見苦しさを目立たなくすることができる。
【００３１】
さらに、前記凸条５４が前記溝３５に挿入されることにより、頂板部３１，５２同士を一体化させることができるため、取っ手カバー５の特に頂板部５２に反りが発生した場合においても、頂板部５２が頂板部３１に対して浮き上がることを禁止できる。また、取っ手３の側面に向けて突設された凸条５４が頂板部３１の段部３４に凹設された溝３５に挿入されているため、濡れ雑巾等の清掃具で扉４の表面を清掃するとき、清掃時の水を取っ手カバー５の内側へ侵入し難くでき、外観の見栄えを良好にできる。
【００３２】
また、取っ手３の頂板部３１表面には凹凸３６が設けられており、この凹凸３６部分が取っ手カバー５の頂板部５２で覆われており、頂板部５２を透過して凹凸３６を目視することができるようになっているため、取っ手３にひけマーク、ウエルドライン等が発生している場合においても、このマーク、ウエルドライン等を目立たなくすることができ、外観の見栄えの悪さを解消でき、デザイン性を向上できる。
【００３３】
尚、以上説明した実施の形態では、取っ手カバー５が第１及び第２の係止片５３，５５を有し、扉４が第１及び第２の挿入孔７，８を有する構成としたが、その他、前記第２の係止片５５及び第２の挿入孔８をなくした構成としてもよい。また、第１及び第２の係止片５３，５５の抜け出しを禁止する手段として挿入孔７，８の内側に係止爪７ａ，８ａが設けられた構成としたが、その他、前記係止爪７ａ，８ａをなくし、第１及び第２の係止片５３，５５と挿入孔７，８との接触抵抗によって第１及び第２の係止片５３，５５の抜け出しを禁止するようにしてもよく、その手段は特に制限されない。
【００３４】
また、取っ手３及び取っ手カバー５は上下方向中間の断面形状を略Ｌ字形としたが、その断面形状は特に制限されない。
【００３５】
【発明の効果】
以上詳述した如く本発明によれば、取っ手カバーを取付けるための係止片は取っ手の側面に向けて突設されているため、係止片周りの肉厚差による色の濃淡差を感じることがなくなり、外観上の見苦しさをなくすることができる。しかも、取っ手カバーの係止片が挿入される挿入孔は取っ手の側面に穿設されるため、清掃時の水が前記挿入孔へ侵入した場合においても、この挿入孔内の水による外観上の見苦しさを目立たなくすることができる。
【００３６】
また、本発明によれば、取っ手カバーに突設された凸条が取っ手の溝に挿入されているため、取っ手カバーに反りが発生した場合においても、取っ手カバーが取っ手に対して浮き上がることをなくすることができる。また、前記凸条は取っ手の側面に向けて突設されているため、該凸条が清掃時の水の侵入抵抗となり、水の侵入をなくすることができる。
【００３７】
さらに、本発明によれば、取っ手カバーを透過して凹凸を目視することができるため、取っ手にひけマーク、ウエルドライン等が発生している場合においても、このマーク、ウエルドライン等を目立たなくすることができ、外観の見栄えの悪さを解消でき、さらに、デザイン性を向上できる。
【００３８】
また、本発明によれば、取っ手が有する凹凸は取っ手カバーの凸条が挿入される溝の深さ方向へ長い条となしてあるため、１個の割型によって溝及び凹凸を成形することができ、割型製作費用を低減することができ、この割型によって製造される取っ手、ひいては加熱調理器のコストを低減できる。
【図面の簡単な説明】
【図１】本発明に係る加熱調理器の斜視図である。
【図２】本発明に係る加熱調理器の扉及び取っ手カバーの斜視図である。
【図３】本発明に係る加熱調理器の扉の正面図である。
【図４】図３のIV−IV線の拡大断面図である。
【図５】図３のＶ−Ｖ線の拡大断面図である。
【図６】本発明に係る加熱調理器の扉の取っ手部分を拡大した正面図である。
【図７】本発明に係る加熱調理器の扉の拡大側面図である。
【図８】図７のＡ部の拡大図である。
【図９】本発明に係る加熱調理器の取っ手カバーを示すもので、(a) は正面図、(b) は側面図、(c) は背面図である。
【図１０】従来の加熱調理器の扉の正面図である。
【図１１】図１０のXI−XI線の拡大断面図である。
【図１２】図１０のXII −XII 線の拡大断面図である。
【符号の説明】
１    加熱調理器本体
２    扉本体
３    取っ手
３５  溝
３６  凹凸
４    扉
５    取っ手カバー
５１  側板部
５３  係止片
５４  凸条
７    挿入孔
【図１】
0003669940.tif 000002
【図２】
0003669940.tif 000003
【図３】
0003669940.tif 000004
【図４】
0003669940.tif 000005
【図５】
0003669940.tif 000006
【図６】
0003669940.tif 000007
【図７】
0003669940.tif 000008
【図８】
0003669940.tif 000009
【図９】
0003669940.tif 000010
【図１０】
0003669940.tif 000011
【図１１】
0003669940.tif 000012
【図１２】
0003669940.tif 000013